(57)【要約】【課題】操作ハンドルでケーシングを走行操作できるとともに、装着方向が異なる異種の感光材料処理装置に装着可能な感光材料処理装置の感光材料マガジンを提供することを目的としている。【解決手段】帯状をした長尺の感光材料が巻き取られたスプールを収納可能で、感光材料の通過口２２を一方の壁面に有し、感光材料処理装置に装脱自在なケーシング２と、ケーシング２を床面に沿って走行自在に下方から支持する走行輪４と、ケーシング２を走行方向に操作する操作ハンドル３とを備える感光材料処理装置の感光材料マガジン１において、ケーシング２の装着方向が異なる複数の感光材料処理装置に装着可能で、操作ハンドル３が、各感光材料処理装置への装着を阻害しない位置にその姿勢変更可能にケーシング２に枢支されていることを特徴としている。【選択図】      図１
2004191538.tif 000002
【特許請求の範囲】
【請求項１】
帯状をした長尺の感光材料が巻き取られたスプールを収納可能で、前記感光材料の通過口を一方の壁面に有し、感光材料処理装置に装脱自在なケーシングと、ケーシングを載置面に沿って走行自在に下方から支持する走行輪と、
ケーシングを走行方向に操作する操作ハンドルとを備える感光材料処理装置の感光材料マガジンにおいて、
ケーシングの装着方向が異なる複数の感光材料処理装置に装着可能で、操作ハンドルが、各感光材料処理装置への装着を阻害しない位置にその姿勢変更可能にケーシングに枢支されていることを特徴とする感光材料処理装置の感光材料マガジン。
【請求項２】
操作ハンドルが、通過口を通ってケーシングから送り出される感光材料のガイドローラを備えている請求項１に記載の感光材料処理装置の感光材料マガジン。
【請求項３】
操作ハンドルが、把持部と、ケーシングの上面に一端が回動自在に枢支された枢支部および枢支部の他端から略直角に折れ曲がり枢支部と略同じ長さで把持部に連結された連結部を有する連結アーム部とを備え、ケーシングが操作ハンドルの枢支部を少なくとも水平姿勢および垂直姿勢に支持固定する支持手段を備えている請求項１または請求項２に記載の感光材料処理装置の感光材料マガジン。
【発明の詳細な説明】
【０００１】
【発明の属する技術分野】
本発明は、感光材料処理装置の感光材料マガジンに関する。
【０００２】
【従来の技術】
感光材料処理装置としては、焼き付け処理部と、現像処理部とが一体に設けられ、感光材料が露光部で画像を焼き付ける焼き付け処理を行ったのち、直ちに現像処理されるようになっている焼き付け現像装置と、焼き付け処理部のみを備えた焼き付け処理装置（プリンター）と、現像処理部のみを備えた現像処理装置とがある。
そして、いずれの処理装置においても、帯状をした長尺の感光材料が巻回されたスプールをケーシング内に収納した感光材料の送り出しマガジンを感光材料処理装置にセットし、送り出しマガジンから送り出される感光材料を連続的に処理するようになっている。
【０００３】
また、昨今は、同一サイズの焼付処理を多量に連続して行う場合、マガジンの交換頻度を少なくするため、巻径の大きい太巻の感光材料が巻回されたスプールをケーシング内に収納し、下方から受けるように走行輪を一体に備え、作業者がケーシングから立ち上がるように設けられた操作ハンドルの把持部を掴んで走行させることができ、重量が大きくても搬送性に優れた大型の感光材料マガジンが用いられるようになっている（特許文献１参照）。
【０００４】
ところで、焼き付け処理装置と現像処理装置とが別体になっている場合、空のスプールを収容した巻き取り送り出し兼用の感光材料マガジンを焼き付け処理装置の感光材料排出口にセットし、画像が焼き付けられた感光材料を感光材料マガジンに一旦巻き取り、焼き付け処理済みの感光材料がスプールに一杯になると、感光材料マガジンを焼き付け処理装置から取り外し、現像処理装置のところまで感光材料マガジンを搬送して現像処理装置の入り口側に設けられたセット位置にセットし、焼き付け処理済みの感光材料を感光材料マガジンから連続的に現像処理装置に送り出し、現像処理を行うようになっているが、現像処理装置には、感光材料マガジンのセット方向が逆になっているものもある。
【０００５】
小型の感光材料マガジンの場合には、セット方向が逆の現像処理装置でもセットが可能であるが、上記したように、大型の感光材料マガジンの場合、ケーシングから操作ハンドルが突出しているので、現像処理装置によっては、操作ハンドル部分が邪魔になり、装着できない場合がある。すなわち、大型の感光材料マガジンの場合、複数の機種で共用することができないという問題がある。
【０００６】
【特許文献１】特開平１０−２０４４７号公報
【０００７】
【発明が解決しようとする課題】
本発明は、上記事情に鑑みて、操作ハンドルでケーシングを走行操作できるとともに、装着方向が異なる異種の感光材料処理装置に装着可能な感光材料処理装置の感光材料マガジンを提供することを目的としている。
【０００８】
【課題を解決するための手段】
上記目的を達成するために、本発明の請求項１に記載の感光材料処理装置の感光材料マガジン（以下、「請求項１のマガジン」と記す）は、帯状をした長尺の感光材料が巻き取られたスプールを収納可能で、前記感光材料の通過口を一方の壁面に有し、感光材料処理装置に装脱自在なケーシングと、ケーシングを載置面に沿って走行自在に下方から支持する走行輪と、ケーシングを走行方向に操作する操作ハンドルとを備える感光材料処理装置の感光材料マガジンにおいて、ケーシングの装着方向が異なる複数の感光材料処理装置に装着可能で、操作ハンドルが、各感光材料処理装置への装着を阻害しない位置にその姿勢変更可能にケーシングに枢支されていることを特徴としている。
【０００９】
本発明の請求項２に記載の感光材料処理装置の感光材料マガジン（以下、「請求項２のマガジン」と記す）は、請求項１のマガジンにおいて、操作ハンドルが、通過口を通ってケーシングから送り出される感光材料のガイドローラを備えていることを特徴としている。
【００１０】
本発明の請求項３に記載の感光材料処理装置の感光材料マガジン（以下、「請求項３のマガジン」と記す）は、請求項１または請求項２のマガジンにおいて、操作ハンドルが、把持部と、ケーシングの上面に一端が回動自在に枢支された枢支部および枢支部の他端から略直角に折れ曲がり枢支部と略同じ長さで把持部に連結された連結部を有する連結アーム部とを備え、ケーシングが操作ハンドルの枢支部を少なくとも水平姿勢および垂直姿勢に支持固定する支持手段を備えていることを特徴としている。
【００１１】
【発明の実施の形態】
以下に、本発明を、その実施の形態をあらわす図面を参照しつつ詳しく説明する。
図１は、本発明にかかる感光材料処理装置の感光材料マガジンの１つの実施の形態をあらわしている。
【００１２】
図１に示すように、この感光材料マガジン１は、ケーシング２と、操作ハンドル３と、走行輪４とを備え、図２および図３に示すデジタル式の焼き付け処理装置５の巻き取りマガジン、および、図４に示す現像処理装置６の送り出しマガジンの両方に兼用されるようになっている。
【００１３】
そして、ケーシング２は、図１および図２に示すように、２つ割りに開放できるようになっていて、図３および図４に示すように、内部に着脱自在なスプール２１が収納され、図示していないが、焼き付け処理装置５にセットされたとき、焼き付け処理装置５のギヤにかみ合い、焼き付け処理装置５のギヤによって伝達された駆動力によってスプール２１を巻き取り方向に回転させるギヤを備えている。また、ケーシング２の一方に壁面には、感光材料Ｐの巻き取り口および送り出し口となるシャッターを有する感光材料通過口（以下、「通過口」とのみ記す）２２が設けられているとともに、ケーシング２の通過口２２側の上面に切欠部２３が設けられ、この切欠部２３に水平バー２４が設けられている。一方、ケーシング２の通過口２２側の下面には、焼き付け処理装置５に装着時に、後述する焼き付け処理装置５の係止バー５１に係止される係止溝２５が設けられている。
【００１４】
ケーシング２の上面には、後述する操作ハンドル３の軸３ｂをその中心軸周りに回転自在かつその中心軸方向にスライド自在に支持する軸受け部２６，２７が設けられている。
一方の軸受け部２６は、直方体の上側の両コーナーが切り欠かかれ形状をしていて、その外側面の両側の垂直壁に平行にそれぞれ２つ、上面に平行に２つ計６つの係止突起２６ａが操作ハンドル３の支持手段としてそれぞれ後述する操作ハンドル３の枢支部３３の径と略同じ間隔で突設されている。
【００１５】
操作ハンドル３は、ハンドル本体３ａと軸３ｂとを備えている。
ハンドル本体３ａは、金属パイプを折り曲げて成形されていて、把持部３１と、把持部３１の両端から略直角に折れ曲がるように形成された連結アーム部３２と、連結アーム部３２の端から略直角に折れ曲がるように形成された枢支部３３とを備え、２つの枢支部３３が軸受け部２６，２７を両側から挟むように配置されている。
【００１６】
枢支部３３と連結アーム部３２とは略同じ長さに形成されている。
軸３ｂは、前述したように両軸受け部２６，２７にその中心軸周りに回転自在かつ係止突起２６ａの軸受け部２６からの突出長さより長いスライド幅で軸３ｂの中心軸方向にスライド自在に支持されているとともに、その端部が２つの枢支部３３に固定されている。
【００１７】
また、２つの連結アーム部３２の間には、シャフト状の２本のガイドローラ３４がその中心軸を中心に回転自在に支持されている。
走行輪４は、ケーシング２の下面四隅にそれぞれ設けられていて、ケーシング２を床面Ｆに沿って走行自在に支持している。
【００１８】
すなわち、この感光材料マガジン１は、以上のようになっており、図５に一点鎖線および２点鎖線で示すように、操作ハンドル３をその係止突起２６ａが設けられた軸受け部２６側の枢支部３３が係止突起２６ａの先端より外側にくるようにスライドさせると、ハンドル本体３ａが軸３ｂを中心に回動自在になり、そして、図６に示すように、枢支部３３がケーシング２の上面に対し平行になる位置および垂直になる位置にきた状態で、図５に実線で示すように、他方の軸受け部２６方向にスライドさせると、枢支部３３がいずれかの対の係止突起２６ａと係止突起２６ａとの間に嵌まり込み、操作ハンドル３が、図７（ａ）に示すように、その枢支部３３が通過口２２と反対側の壁面方向にケーシング２の上面と水平となるように倒れ、把持部３１が反対側の壁面より少し外側へ飛び出た位置に配置された姿勢Ｉ、図７（ｂ）に示すように、枢支部３３がケーシング２の上面に対し垂直に立ち上がり、把持部３１がケーシングの通過口２２側端縁の略直上に配置された姿勢ＩＩ、図７（ｃ）に示すように、枢支部３３が通過口２２側の壁面方向にケーシング２の上面と水平となるように倒れ、把持部３１が通過口２２より下方で、通過口２２が設けられた壁面に対面するように配置された姿勢ＩＩＩで固定することができる。
【００１９】
そして、この感光材料マガジン１は、スプール２１が、まず、操作ハンドル３を図７（ａ）に示す姿勢Ｉの状態にして、作業者が把持部３１を手で持ち、図８（ａ）に示すように、通過口２２側を先頭にして焼き付け処理装置５の焼き付け処理済感光材料Ｐの出口５３の前面まで走行させる。そして、図８（ｂ）に示すように、操作ハンドル３の連結アーム部３２が作業者側に倒れるように操作して、ケーシング２の通過口２２側の下端を持ち上げ、係止爪２５を係止バー５１に係止させたのち、把持部３１を持ち、ケーシング２を係止バー５１を中心に焼き付け処理装置５側に回動させ、図３に示すように、水平バー２４を焼き付け処理装置５の係止ピン５５に係止させることによって、通過口２２と出口５３とが一致するとともに、床面Ｆから浮き上がった状態で焼き付け処理装置５にセットされる。
【００２０】
そして、図２および図３に示すように、焼き付け処理装置５の入り口側にセットされた送り出しマガジン７から連続的に送り出される未処理の感光材料Ｐが焼き付け処理装置５内の露光部５６で画像を焼き付けられたのち、感光材料マガジン１のスプール２１に焼き付け処理済み感光材料Ｐが連続的に巻き取られる。
焼き付け処理済みの感光材料Ｐがスプール２１に所定の長さ巻き取られると、焼き付けを停止し、レバー（図示せず）を操作して係止ピン５５の水平バー２４への係止を解除し、セット時と逆の操作を行って、感光材料マガジン１を焼き付け処理装置５から取り外す。
【００２１】
このようにして焼き付け処理装置５から取り外された感光材料マガジン１は、直ちにあるいは一旦他所で保管されたのち、図４に示すように、現像処理装置６のところに運ばれ、現像処理装置６にセットされるが、図４の現像処理装置６のように、通過口２２と反対側の壁面を現像処理装置６側に向けてセットされるようになっている場合、操作ハンドル３を図７（ｂ）に示す姿勢ＩＩにして、通過口２２と反対側の面を先頭にして把持部３１を持ちケーシング２を走行させ、現像処理装置６のところに運ぶ。そして、操作ハンドル３がセットの邪魔になる場合、操作ハンドル３を図７（ｃ）に示す姿勢ＩＩＩにして、所定位置にセットしたのち、焼き付け処理済み感光材料Ｐの端末を通過口２２から引き出し、操作ハンドル３に設けられたカイドローラ３４を介して現像処理装置６に焼き付け処理済みの感光材料Ｐを連続的に送り込み現像処理できるようになっている。
【００２２】
なお、図示していないが、感光材料マガジン１の装着構造が、焼き付け処理装置５への装着構造と同様の構造になっている現像処理装置の場合は、操作ハンドル３を図７（ａ）に示す姿勢Ｉの状態で現像処理装置のところまで、感光材料マガジン１を運び、上記した焼き付け処理装置５への装着方法と同様にして現像処理装置に装着することもできる。
【００２３】
この感光材料マガジン１は、以上のように、操作ハンドル３が、各現像処理装置６への装着を阻害しない位置にその姿勢変更可能になっているので、複数の機種で共用することができ、製造コストを低減することができる。
また、操作ハンドル３が、通過口２２を通ってケーシング２から送り出される感光材料Ｐのガイドローラ３４を備えているので、感光材料Ｐを傷つけることなく、現像処理装置６に送り込むことができる。
【００２４】
操作ハンドル３の枢支部３３と連結アーム部３２とが略同じ長さで、枢支部３３と連結アーム部３２とが直角に配置されているので、操作ハンドル３が姿勢Ｉと姿勢ＩＩのときで、把持部３１の高さが変わらず、ケーシング２を操作ハンドル３を用いて両方向にスムーズに走行させることができる。
【００２５】
本発明は、上記の実施の形態に限定されない。たとえば、上記の実施の形態では、焼き付け処理装置５がデジタル式であったが、アナログ式のものでも構わない。また、上記の実施の形態では、焼き付け処理装置５の巻き取りマガジン、および、現像処理装置６の送り出しマガジンとして使用されるようになっていたが焼き付け処理装置５の送り出しマガジンとしても使用できる。
また、上記の実施の形態では、係止溝２５に係止バー５１を係止させるようになっていたが、係止溝２５に代えて係止爪をケーシングの下面に取り付けるようにしても構わない。
【００２６】
【発明の効果】
本発明にかかる感光材料処理装置の感光材料マガジンは、以上のように構成されているので、複数の機種で共用することができ、製造コストを低減することができる。
【００２７】
特に、請求項２のマガジンのようにすれば、マガジンから引き出された感光材料を傷つけることなく、感光材料処理装置に送り込むことができる。
また、請求項３のマガジンのようにすれば、把持部の高さをかえることなく、把持部の操作位置をケーシングの前後方向に変更することができ、ケーシングを操作ハンドルを用いて両方向にスムーズに走行させることができる。
【図面の簡単な説明】
【図１】本発明にかかる感光材料処理装置の感光材料マガジンの１つの実施の形態をあらわす斜視図である。
【図２】図１の感光材料マガジンを焼き付け処理装置にセットした状態の正面図である。
【図３】図２の焼き付け処理装置の正面断面図である。
【図４】図１の感光材料マガジンの現像処理装置へセットした状態の要部正面図である。
【図５】図１の感光材料マガジンの操作ハンドルの姿勢変更状態を説明する説明図である。
【図６】図１の感光材料マガジンの操作ハンドルの支持方法を説明する支持固定手段の図１のＡ方向矢視図である。
【図７】操作ハンドルの支持方法を説明する図１のＢ−Ｂ線断面図である。
【図８】図１の感光材料マガジンの焼き付け処理装置への装着方法を説明する説明図である。
【符号の説明】
Ｐ  感光材料
１  感光材料マガジン
２  ケーシング
２１  スプール
２２  通過口
３  操作ハンドル
３ａ  ハンドル本体
３ｂ  軸
３１  把持部
３２  連結アーム部
３３  枢支部
３４  ガイドローラ
４  走行輪
５  焼き付け処理装置（感光材料処理装置）
６  現像処理装置（感光材料処理装置）
【図１】
2004191538.tif 000003
【図２】
2004191538.tif 000004
【図３】
2004191538.tif 000005
【図４】
2004191538.tif 000006
【図５】
2004191538.tif 000007
【図６】
2004191538.tif 000008
【図７】
2004191538.tif 000009
【図８】
2004191538.tif 000010